(57)【要約】      （修正有）【課題】焦点距離を調整可能なマイクロサージェリー照明ヘッドライトを提供する。【解決手段】焦点距離を調整可能なマイクロサージェリー照明ヘッドライトは、本体と、凸レンズ３と、光源装置４より成る。該本体は、中空殻体を有し、該中空殻体の後端２１１に内軸を形成し、該中空殻体の前端２１５の内径は、該後端の内軸の内径より大きく、前記光源装置は、該内軸中に貫通設置する。さらに、該中空殻体前端の凸レンズに対して光源を照射し、該凸レンズに相対して該光源装置は、内軸中で前後に移動し、該凸レンズに光線照射する距離を調整することができる。【選択図】図２
0003164737.tif 000002
【実用新案登録請求の範囲】
【請求項１】
本体と、凸レンズと、光源装置と、を含み、該本体は、中空殻体を有し、該中空殻体の後端に内軸を形成し、該中空殻体の前端の内径は、該後端の内軸の内径より大きく、前記光源装置は、該内軸中に貫通設置され、該中空殻体前端の凸レンズに対して光源を照射し、該凸レンズに相対して該光源装置は、内軸中で前後に移動し、該凸レンズに光線照射する距離を調整する焦点距離を調整可能なマイクロサージェリー照明ヘッドライト。
【請求項２】
前記中空殻体が、更に移動溝と、螺子栓と、を含み、前記の光源装置が螺子孔を含み、該光源装置は、該中空殻体の内軸中に貫通設置される時、該螺子栓は、該移動溝を貫通し、該光源装置の螺子孔に螺合し、該光源装置を該中空殻体の移動溝中に固定又は移動することに用い、該光源装置及び該凸レンズの距離を調整し、照明焦点距離を変更することに用いる請求項１に記載の焦点距離を調整可能なマイクロサージェリー照明ヘッドライト。
【請求項３】
前記光源装置がＬＥＤ光源である請求項１に記載の焦点距離を調整可能なマイクロサージェリー照明ヘッドライト。
【請求項４】
前記本体が更にアダプタを含む請求項１に記載の焦点距離を調整可能なマイクロサージェリー照明ヘッドライト。
【請求項５】
前記本体が更にアダプタを含み、前記アダプタが更に回転軸及び接合部を含み、該回転軸は、該アダプタの中央部位に設けられ、該アダプタが上下角度を回転調整できるようにすることに用いる請求項４に記載の焦点距離を調整可能なマイクロサージェリー照明ヘッドライト。
【請求項６】
前記接合部が円形凸柱であり、アダプタの一端部に形成され、マイクロサージェリー照明ヘッドライトの固定構造に回転接続することに用いる請求項５に記載の焦点距離を調整可能なマイクロサージェリー照明ヘッドライト。
【考案の詳細な説明】
【技術分野】
【０００１】
本考案は、マイクロサージェリー照明ヘッドライトに関し、特に歯科、神経科、血管等の各種マイクロサージェリー又は精密製造等に応用される携帯式照明ヘッドライドに関する。
【背景技術】
【０００２】
医療のマイクロサージェリー、更には、電子工業精密製造等の産業等において、それぞれ精確な物体の観察により医療技術又は工程技巧を精確且つ安全に施すことができ、特に、医療分野は、その処置技術は、人類の治療に応用され、僅かな誤差も許されず、例えば、歯科医師の治療又は矯正は、一般に小型灯具を利用し、口内を照明し、或いは、医師が手術で拡大鏡と合わせ、小型の灯具光源を採用し、マイクロサージェリーを行なうものである。しかしながら、これら精巧な微小型照明灯具は、その照明度が一般に高くなく、且つその光源の焦点距離は、固定された焦点距離であり、医療のマイクロサージェリーは、例えば、口内の歯構造又は血管等、非常に細かく観察する手術治療であり、該従来の灯具は、照明度が有限であり、その光源焦点距離の凝集が最適な照準照明に調整できず、該従来の灯具は、医療人員による前後の移動で照明距離を調整するか患者の被照射光源の焦点距離を調整するかに限られ、医師の不便及び患者の不快適という医療の欠陥を招く、且つ医療人員の口内の複雑な構造、形状、距離に対する観察が制限を受け、明瞭でなく、医療品質に影響を及ぼす。
【先行技術文献】
【特許文献】
【０００３】
【特許文献１】特開２００６−２４７３９９号公報
【考案の概要】
【考案が解決しようとする課題】
【０００４】
上記の従来のマイクロサージェリー又は精密製造が使用する小型灯具の欠陥に鑑み、本考案の目的は、該専門の小型ヘッドライトに対して焦点距離を調整可能な効果を持たせ、医療手術又はその他の精密製作業の照明及び工作品質を向上することにある。
【課題を解決するための手段】
【０００５】
本考案が提供する焦点距離を調整可能なマイクロサージェリー照明ヘッドライトは、本体と、凸レンズと、光源装置と、を含み、該本体は、中空殻体を有し、該中空殻体の後端に内軸を形成し、該中空殻体の前端の内径は、該後端の内軸の内径より大きく、前記光源装置は、該内軸中に貫通設置され、該中空殻体前端の凸レンズに対して光源を照射し、該凸レンズに相対して該光源装置は、内軸中で前後に移動し、該凸レンズに光線照射する距離を調整することができ、照明焦点距離の調整を完成し、従来の欠陥を改善する。
【０００６】
本考案の焦点距離を調整可能なマイクロサージェリー照明ヘッドライトは、前記の本体が、更にアダプタを含み、マイクロサージェリー照明ヘッドライトの固定構造に変換接続することに用い、該固定構造は、医師又は操作者頭部の拡大鏡、眼鏡等の部位に結合でき、該照明ヘッドライトが照明角度を転動できるようにすることに用いる。
【０００７】
本考案の焦点距離を調整可能なマイクロサージェリー照明ヘッドライトは、該中空殻体が、更に移動溝と、螺子栓と、を含み、前記の光源装置が螺子孔を含み、該光源装置は、該中空殻体の内軸中に貫通設置される時、該螺子栓は、該移動溝を貫通し、該光源装置の螺子孔に螺合し、該光源装置を該中空殻体の移動溝中に固定又は移動することに用い、該光源装置及び該凸レンズの距離を調整し、照明焦点距離を変更することに用いる。
【０００８】
本考案の焦点距離を調整可能なマイクロサージェリー照明ヘッドライトは、更に電源ケーブルと結合し、外部電源と接続することに用いる。
【考案の効果】
【０００９】
本考案は、該専門の小型ヘッドライトに対して焦点距離を調整可能な効果を持たせ、医療手術又はその他の精密製作業の照明及び工作品質を向上する。
【図面の簡単な説明】
【００１０】
【図１】本考案の焦点距離を調整可能なマイクロサージェリー照明ヘッドライトの外観立体説明図である。
【図２】本考案の焦点距離を調整可能なマイクロサージェリー照明ヘッドライドの立体分解説明図である。
【図３】本考案の焦点距離を調整可能なマイクロサージェリー照明ヘッドライトの光源装置の本体の内軸スイッチ電源の組み合わせ断面図である。
【図４】本考案の照明距離を調整可能なマイクロサージェリー照明ヘッドライトの光源装置の本体の内軸起動電源の組み合わせ断面図である。
【図５】本考案の他の好適実施例の分解立体図である。
【図６】本考案の他の好適実施例の立体組み合わせ図である。
【考案を実施するための形態】
【００１１】
本考案の特徴及び利点を分かり易くするため、以下に好適実施例を挙げ、図面に併せて説明する。考案の具体例及び図面を用い説明する。
【００１２】
図１〜図４を参照し、本考案が提供する焦点距離を調整可能なマイクロサージェリー照明ヘッドライトは、本体２と、凸レンズ３と、光源装置４と、を含み、該本体２は、中空殻体２１を有し、該中空殻体２１の後端２１１に内軸を形成し、該中空殻体２１の前端２１５の内径は、該後端２１１の内軸２１３の内径より大きく、図３及び図４を参照し、前記光源装置４は、該内軸２１３中に貫通設置され、該中空殻体２１前端の凸レンズ３に対して光源４を照射し、該凸レンズ３に相対して該光源装置４は、内軸２１３中で前後に移動し、該凸レンズ３に光線照射する距離を調整することができ、照明焦点距離の調整を完成し、従来の欠陥を改善する。
【００１３】
本考案の焦点距離を調整可能なマイクロサージェリー照明ヘッドライトの図面実施例において、該中空殻体２１は、更に移動溝２１７と、螺子栓２１９と、を含み、前記の光源装置４が更に螺子孔４１を含み、該光源装置４は、該中空殻体２１の内軸２１３中に貫通設置される時、該螺子栓２１９は、該移動溝２１７を貫通し、該光源装置４の螺子孔４１に螺合し、該光源装置４を該中空殻体２１の移動溝２１７中に固定又は移動することに用い、該光源装置４及び該凸レンズ３の距離を調整し、照明焦点距離を変更することに用いる。
【００１４】
上記の光源装置４は、本実施例において、ＬＥＤ光源であり、当業者は、本考案によりその他の光源、例えば、アークランプ、ハロゲンランプ、高出力の冷光源ファイバーヘッドライト又は従来の白色ヘッドライトの何れか１種を採用することができるということを分かることができる。
【００１５】
本考案の焦点距離を調整可能なマイクロサージェリー照明ヘッドライトは、前記の本体２が、更にアダプタ２３を含み、該アダプタ２３は、更に回転軸２３１及び接合部２３３を含み、該回転軸２３１は、該アダプタ２３中央部位に設けられ、該アダプタ２３に上下角度を回転調整可能にすることに用い、前記の接合部２３３は、円形凸柱であり、アダプタ２３の一端部に形成され、マイクロサージェリー照明ヘッドライトの固定構造に変換接続することに用い、該固定構造は、医師又は操作者頭部の拡大鏡、眼鏡等の部位に結合でき、該照明ヘッドライトが照明角度を転動できるようにすることに用いる。
【００１６】
図５及び図６は、上記の固定構造６は、例えば、本考案の図中に示すように、眼鏡又は大きな鏡ラック体等の計測器の挟持具に結合することができ、前記の固定構造６の一側面上に固定孔６１を有し、該固定孔６１は、接合部２３３と結合固定し、前記固定構造６の固定孔６１は、該接合部２３３に相対することができ、マッチング方式で該固定孔６１を該接合部２３３に相対して回転させ、回転軸２３１の回転方向は、該固定構造６の固定孔６１の回転方向と異なり、従って、本実施例は、該回転軸２３１の異なる回転方向を補充することに利用される。
【００１７】
図６を同時に参照し、本考案の焦点距離を調整可能なマイクロサージェリー照明ヘッドライトは、更に電源ケーブル５を結合し、外部電源に接続することに用い、該外部電源は、例えば、一般の交流電又は直流電であり、本実施例の図中、該外部電源は、携帯式電源７であり、該携帯式電源７は、更に電源挿入孔７１と、パワー調整レバー７２と、を含み、該電源挿入孔７１は、前記の電源ケーブル５に接続することに用い、本考案のヘッドライトの電源を提供し、前記のパワー調整レバーは、該携帯式電源７の電流パワーの大きさを調整し、本考案のヘッドライトの照明度を調整することができる。
【００１８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１９】
２  本体
２１  中空殻体
２１１  後端
２１５  前端
２１７  移動溝
２１９  螺子栓
２３  アダプタ
２３１  回転軸
２３３  接合部
３  凸レンズ
４  電源装置
４１  螺子孔
５  電源ケーブル
６  固定構造
７  携帯式電源
７１  電源挿入孔
７２  パワー調整レバー
【図１】
0003164737.tif 000003
【図２】
0003164737.tif 000004
【図３】
0003164737.tif 000005
【図４】
0003164737.tif 000006
【図５】
0003164737.tif 000007
【図６】
0003164737.tif 000008